(57)【特許請求の範囲】
【請求項１】
無線チャンネルを介して画像パケットを伝送する無線伝送システムにおいて、
画像信号を所定のブロック別に符号化する画像符号化部と、
所定のパラメータから前記ブロック別に符号化された画像データの重要度を前記ブロック別に決定する重要度決定部と、
前記重要度を前記ブロック別に貯蔵する重要度貯蔵部と、
少なくとも時間当り伝送すべき符号化された画像データ量、前記無線チャンネルの状態及び前記重要度貯蔵部に貯蔵された前記重要度に基づき前記符号化された画像データを伝送するかどうかまたは伝送優先順位を前記ブロック別に決定するデータ伝送決定部と、
伝送が決定された画像データをパケット化する画像データパケット化部と、パケット化されたデータを無線で伝送する無線伝送部とを含むことを特徴とする画像パケット伝送のための無線伝送システム。
【請求項２】
前記重要度決定部は、前記符号化された画像データがイントラ符号化されたデータであるかまたはインター符号化されたデータであるか、及び前記符号化された画像データの動きベクトル値または前記符号化された画像データがエッジであるかどうかを含むパラメータに加重値をおいて重要度を決定することを特徴とする請求項１に記載の画像パケット伝送のための無線伝送システム。
【請求項３】
無線チャンネルを介して画像パケットを伝送する無線伝送システムにおいて、
画像信号を所定のブロック別に符号化する画像符号化部と、
所定パラメータから前記ブロック別に符号化された画像データの重要度を前記ブロック別に決定する重要度決定部と、
前記重要度を前記ブロック別に貯蔵する重要度貯蔵部と、
少なくとも時間当り伝送すべき符号化された画像データ量、前記無線チャンネルの状態及び前記重要度貯蔵部に貯蔵された前記重要度に基づき前記符号化された画像データを伝送するかどうかまたは伝送優先順位を前記ブロック別に決定するデータ伝送決定部と、
伝送が決定されたデータをパケット化し、パケット内に前記重要度を示す情報フィールドを挿入する画像及び重要度データパケット化部と、
パケットデータを無線で伝送する無線伝送部とを含むことを特徴とする画像パケット伝送のための無線伝送システム。
【請求項４】
前記パケットデータを受信する無線受信部と、
前記パケットデータから前記重要度を示す情報フィールドを分離し、前記符号化された画像データを抽出して組立てるパケット組立部と、
前記重要度に基づき復元方法の複雑度を決定し、決定された複雑度をもつ復元方法により組立てられた画像データを復元する加重画像復号化部とを含む無線受信システムをさらに具備することを特徴とする請求項３に記載の画像パケット伝送のための無線伝送システム。
【請求項５】
無線チャンネルを介して画像パケットを伝送する無線伝送システムの構成要素となるシステムであって、画像信号を所定のブロック別に符号化した画像データをパケット化したパケットデータ内に、前記パケットデータの前記ブロック別の重要度を示す情報フィールドを含む画像パケットデータを受信且つ復元する無線受信システムにおいて、
前記パケットデータを受信する無線受信部と、
前記パケットデータから前記ブロック別の重要度を示す情報フィールドを分離し、符号化された画像データを抽出して組立てるパケット組立部と、
前記ブロック別の重要度に基づき復元方法の複雑度を前記ブロック別に決定し、決定された前記ブロック別の複雑度をもつ復元方法により組立てられた画像データを復元する加重画像復号化部とを具備することを特徴とする画像パケット受信のための無線受信システム。
【請求項６】
無線チャンネルを介して画像パケットを伝送する無線伝送システムの構成要素となるシステムであって、画像信号を所定のブロック別に符号化した画像データをパケット化した画像パケットを受信する画像パケット受信システムにおいて、
符号化された画像データ及びヘッダで構成され、前記ヘッダには前記画像データの前記ブロック別の重要度を示す重要度情報フィールドを含む前記画像パケットを受信するパケット受信部と、
前記画像パケットから前記重要度情報フィールドを分離し、前記画像データを抽出して組み立てるパケット組立部と、
前記重要度情報フィールドに貯蔵された値によって前記画像データを復元する方法を決定し、決定された復元方法で前記組み立てられた画像データを復元する画像復号化部とを含むことを特徴とする画像パケット受信システム。
【請求項７】
前記ブロック別の重要度は、
前記符号化された画像データがイントラ符号化されたかインター符号化されたかを示すことを特徴とする請求項６に記載の画像パケット受信システム。
【発明の詳細な説明】
【０００１】
【発明の属する技術分野】
本発明は画像パケット伝送のための無線通信システムに係り、特に、画像データの重要度を考慮して画像パケットを伝送するかどうかを決定する無線通信システムに関する。
【０００２】
【従来の技術】
一般に、無線通信システムにおいて、画像パケット伝送のための動画像情報は画像コーデックを介して符号化され、符号化されたデータは無線通信システムの各階層を経由しながらヘッダなどの情報が付加されて無線チャンネルを介して伝送される。
【０００３】
図１は、従来の画像パケット伝送のための無線伝送システムのブロック図である。図１による無線伝送システムは、画像符号化部１００、パケット化部１０２及び無線伝送部１０４を具備する。画像符号化部１００は、伝送しようとする動画像を符号化する。パケット化部１０２は、符号化されたデータをパケットの形態に分割し、ヘッダ情報などを付加する。無線伝送部１０４は、与えられた時間に合わせて画像パケットデータを無線チャンネルを介して伝送する。この場合、画像符号化部１００は、与えられたチャンネル帯域幅よりも小さい符号化率にて画像データを発生しなければならない。その理由は、チャンネルを介して伝送されるデータは無線通信システムの下部階層、すなわち、パケット化部１０２及び無線伝送部１０４でヘッダ情報などが付加されるからである。従って、画像符号化部１００では、与えられたチャンネル帯域幅に適するように画像データを発生させる。
【０００４】
しかし、チャンネルの帯域幅よりも大きい伝送率にて画像データを伝送しなければならない場合、すなわち、多量の画像データを伝送しようとする場合に、チャンネルの帯域幅に合わせるために一定のデータをバッファリングして伝送することになる。従って、バッファリングされる量だけデータは遅延されなければならない。
【０００５】
この問題点を解決するために、より多くのチャンネル帯域幅を要求する方法が提案されている。しかし、この方法は、チャンネル使用量が多くなり、伝送費用のコストアップにつながる。
【０００６】
【発明が解決しようとする課題】
本発明の目的は、符号化された画像データの重要度を決定し、単位時間当り伝送すべき画像データが伝送チャンネルの帯域幅を超える場合に、重要度に応じて該当画像データを伝送するかどうかまたは伝送優先順位を決定する画像パケット伝送のための無線伝送システムを提供することである。
本発明の他の目的は、画像データの重要度が含まれた画像パケットデータを受信して復号化する無線受信システムを提供することである。
【０００７】
【課題を解決するための手段】
前記目的を達成するために、本発明は、画像信号を所定ブロック別に符号化する画像符号化部と、所定パラメータから前記ブロック別に符号化された画像データの重要度を決定する重要度決定部と、少なくとも時間当り伝送すべき符号化された画像データ量、前記無線チャンネルの状態及び前記重要度に基づき前記符号化された画像データを伝送するかどうかまたは伝送優先順位を決定するデータ伝送決定部と、伝送が決定された画像データをパケット化する画像データパケット化部と、パケット化されたデータを無線で伝送する無線伝送部とを含む。
【０００８】
前記目的を達成するために、本発明は、無線チャンネルを介して画像パケットを伝送する無線伝送システムにおいて、画像信号を所定ブロック別に符号化する画像符号化部と、所定パラメータから前記ブロック別に符号化された画像データの重要度を決定する重要度決定部と、少なくとも時間当り伝送すべき符号化された画像データ量、前記無線チャンネルの状態及び前記重要度に基づき前記符号化された画像データを伝送するかどうかまたは伝送優先順位を決定するデータ伝送決定部と、伝送が決定されたデータをパケット化し、パケット内に前記重要度を示す情報フィールドを挿入する画像及び重要度データパケット化部と、パケットデータを無線伝送する無線伝送部とを含む。
【０００９】
前記他の目的を達成するために、本発明は、パケットデータ内に前記パケットデータの重要度を示す情報フィールドを含む画像パケットデータを受信し且つ復元する無線受信システムにおいて、前記パケットデータを受信する無線受信部と、前記パケットデータから前記重要度を示す情報フィールドを分離し、符号化された画像データを抽出して組立てるパケット組立部と、前記重要度に基づき復元方法の複雑度を決定し、決定された複雑度をもつ復元方法により組立てられた画像データを復元する加重画像復号化部とを含む。
【００１０】
【発明の実施の形態】
以下、添付した図面に基づき、本発明の実施例についてより詳細に説明する。図２は、本発明による画像パケット伝送のための無線伝送システムのブロック図である。図２による無線伝送システムは、画像符号化部２００と、重要度決定部２０２と、重要度貯蔵部２０４と、画像データ伝送決定部２０６と、画像データパケット化部２０８及び無線伝送部２１０を含む。
【００１１】
画像符号化部２００は、伝送しようとする動画像を符号化する。好ましくは、符号化は１６×１６画素サイズのマクロブロック単位からなり得る。重要度決定部２０２は、符号化されたデータの重要度を決定する。重要度決定パラメータとしては、例えば、画像データの符号化時にイントラ符号化であるかまたはインター符号化であるか、現在符号化されたデータの動きベクトル値または現在符号化された画像データがエッジ値に含まれるかどうかなどである。重要度決定部２０２は、重要度の決定に際して前述のパラメータに加重値をおいて決定することができる。重要度貯蔵部２０４は、符号化されたブロック単位別に重要度を貯蔵する。
【００１２】
画像データ伝送決定部２０６は、重要度貯蔵部２０４に貯蔵された重要度に基づき無線チャンネルの帯域幅またはチャンネルの誤り特性などのチャンネル状態を考慮して符号化された画像データを伝送するかどうかまたは伝送優先順位を決定する。例えば、単位時間当り伝送すべき画像データ量が無線チャンネル帯域幅を超え、現在の画像データブロックの重要度が低いのであれば、その画像データの伝送優先順位を下げたりブロックを伝送しないことと決定する。例えば、使用者に与えられたチャンネルの帯域幅が小さいものの、使用者は高画質の画像データ伝送を希望する場合、画像データ伝送決定部２０６は重要度の高いデータは伝送する一方、重要度の低いデータは後で伝送するか、或いは伝送しないことと決定する。
【００１３】
画像データパケット化部２０８は、画像データ伝送決定部２０６で伝送すると決定された画像データを分割し、各パケットデータにヘッダなどを付加する。無線伝送部２１０は、画像パケットを無線チャンネルを介して伝送する。伝送された画像パケットは受信機（図示せず）で受信されて伝送時の逆順に従い処理され、且つ復号化されて復元される。
【００１４】
図３Ａは、本発明による画像パケット伝送のための無線伝送システムの他の実施例に対するブロック図である。図３Ａによる無線伝送システムは、画像符号化部３００、重要度決定部３０２、重要度貯蔵部３０４、画像データ伝送決定部３０６、画像及び重要度データパケット化部３１２及び無線伝送部３１０を含む。ここで、画像符号化部３００、重要度決定部３０２、重要度貯蔵部３０４及び画像データ伝送決定部３０６の動作は、図２に示された対応構成要素の動作と同様である。
【００１５】
画像及び重要度データパケット化部３１２は、画像データ伝送決定部３０６で伝送すると決定されたデータをパケットに分割し、パケットにヘッダなどを付加し、重要度貯蔵部３０４に貯蔵された該当データブロックの重要度データをパケット内に情報フィールドの１つとして挿入する。無線伝送部３１０は、重要度データが挿入された画像パケットを伝送する。
【００１６】
図３Ｂは、図３Ａに示された無線伝送システムから伝送された画像パケットを受信して復号化する無線受信システムを示すものである。図３Ｂによる無線受信システムは、無線受信部３２０、パケット組立部３２２及び加重復号化部３２４を含む。
【００１７】
無線受信部３２０は、画像パケットを受信する。パケット組立て部３２２は、受信された画像パケットから画像データを抽出し挿入された重要度データを分離した後に、抽出された画像データを組立てる。加重復号化部３２４は、画像データを復号化する時、該当画像データの重要度に該当する複雑度をもつ復号方法により復号化する。例えば、受信された画像データブロックにエラーがあり、且つその重要度が低い場合、エラーの生じたブロックを公知のエラー隠匿方法により復号化且つ復元し、その重要度が低いため、エラーの生じたブロックの隣接ブロックの情報から復号化且つ復元する。重要度が高い場合には、より復元性能に優れた方法を採択してエラーを隠匿することができる。
【００１８】
【発明の効果】
以上述べたように、本発明によれば、現在符号化された画像データの重要度及び伝送すべきデータ量を考慮して画像データを伝送するかどうかまたは伝送優先順位を決定し、且つ伝送するので、無線チャンネルの固定された帯域幅に合わせて画像データを伝送することができる。このとき、重要度を示すデータも併せて伝送するので、受信システムにおいてエラーの生じた画像データを復元する時、その重要度に応じて採択すべきエラー隠匿方法の複雑度を選択することができる。従って、与えられたチャンネルの帯域幅が小さく、時間当り伝送すべきデータ量が多い場合、従来のようにバッファリングを行なわないので、高速の伝送が可能である。
【図面の簡単な説明】
【図１】  従来の画像パケット伝送のための無線伝送システムのブロック図である。
【図２】  本発明による画像パケット伝送のための無線伝送システムのブロック図である。
【図３】  Ａは本発明による画像パケット伝送のための無線伝送システムの他の実施例に対するブロック図であり、ＢはＡに示された無線伝送システムから伝送された画像パケットを受信して復号化する受信システムのブロック図である。
【符号の説明】
２００  画像符号化部
２０２  重要度決定部
２０４  重要度貯蔵部
２０６  画像データ伝送決定部
２０８  画像データパケット化部
２１０  無線伝送部
【図１】
0003870009.tif 000002
【図２】
0003870009.tif 000003
【図３】
0003870009.tif 000004